(57)【要約】【課題】箱蓋を、摩擦を利用して閉位置に保持するとともに、外力が作用した場合でもその保持状態を維持することのできる箱蓋係止具を提供することを課題とする。【解決手段】突き合わされた両箱蓋１ｂの内側へ挿入されて、これらの両箱蓋に、これらの両箱蓋を跨いで対峙させられる平板状の下部支持体２ａと、前記両箱蓋の外側に重畳させられて、これらの両箱蓋に、これらの両箱蓋を跨いで対峙させられる平板状の上部支持体２ｂと、これらの下部支持体と上部支持体とを、その挿入方向後端部において連結する連結体２ｃとによって構成され、かつ、前記下部支持体および前記上部支持体が、その挿入方向と直交する方向において、前記各箱蓋の半分以上の範囲で対峙させられる大きさとなされていることを特徴とする。【選択図】図１
0003204211.tif 000002
【実用新案登録請求の範囲】
【請求項１】
箱の開口部の一対の平行な辺のそれぞれに折曲可能に設けられ、相互に突き合わされることにより前記開口部を閉塞する一対の箱蓋を、その突き合わせ部の一端において挟み込んで閉位置に保持する箱蓋係止具であって、突き合わされた前記両箱蓋の内側へ挿入されて、これらの両箱蓋に、これらの両箱蓋を跨いで対峙させられる平板状の下部支持体と、前記両箱蓋の外側に重畳させられて、これらの両箱蓋に、これらの両箱蓋を跨いで対峙させられる平板状の上部支持体と、これらの下部支持体と上部支持体とを、その挿入方向後端部において連結する連結体とによって構成され、かつ、前記下部支持体および前記上部支持体が、その挿入方向と直交する方向において、前記各箱蓋の半分以上の範囲で対峙させられる大きさとなされていることを特徴とする箱蓋係止具。
【請求項２】
前記下部支持体、前記上部支持体、および、前記連結体が一体に形成され、かつ、前記連結体が、前記下部支持体および上部支持体の一辺の全長に亙って設けられていることを特徴とする請求項１に記載の箱蓋係止具。
【請求項３】
前記連結体の外面が表示面となされていることを特徴とする請求項２に記載の箱蓋係止具。
【請求項４】
前記連結体が、前記下部支持体と前記上部支持体との間に介装されるスペーサーと、このスペーサーに前記下部支持体および前記上部支持体を固定する固定部材とによって構成されていることを特徴とする請求項１に記載の箱蓋係止具。
【請求項５】
前記スペーサーが、高さを変えて複数設けられ、これら複数のスペーサーを択一的に用いて前記下部支持体および前記上部支持体を連結してなることを特徴とする請求項４に記載の箱蓋係止具。
【考案の詳細な説明】
【技術分野】
【０００１】
本考案は、段ボール箱等の箱の開口部に設けられた一対の箱蓋を、閉じ位置に保持するための係止具に関するものである。
【背景技術】
【０００２】
一般に、段ボール箱等の箱には、その開口部の平行な一対の短い辺のそれぞれに内蓋が設けられ、また、一対の長い辺のそれぞれに外蓋が設けられている。
【０００３】
そして、前記両内蓋を、開口部を閉塞するように折り曲げた後に、前記両外蓋を、前記内蓋に重畳させるようにして折り曲げて相互に突き合わせることにより前記開口部を閉じるようになっている。
【０００４】
また、閉じられた前記両外蓋を、粘着テープ等によって固定することにより、収納状態となされる。
【０００５】
一方、このような箱の再利用にあたって、前記外蓋を固定するために粘着テープ等を用いると、箱の開閉の度に粘着テープを貼着し、また、剥がさなければならないことから、前記外蓋が傷ついてしまうといった不具合が生じる。
【０００６】
このような不具合を解消するために、従来では、たとえば、特許文献１に示されるような技術が提案されている。
【０００７】
この技術は、閉じた状態の一対の外蓋を、その突き合わせ部の両端部においてクリップで挟むことにより、前記両外蓋を連結してその開きを防止するようにしたものである。
【０００８】
また、前記クリップを前記両外蓋の面方向に滑らせながら取り外すことで前記両外蓋の連結を解き、これによって、前記両外蓋を開くようにしている。
【先行技術文献】
【特許文献】
【０００９】
【特許文献１】特開２０１３−８２４８１号公報
【考案の概要】
【考案が解決しようとする課題】
【００１０】
前述した従来の技術では、前述したように、クリップの挟持力によって前記外蓋を閉位置に保持し、また、クリップを取り外すことで前記両外蓋を開放可能としている。
【００１１】
ここで、クリップと外蓋とは摩擦で連結されていることから、クリップを外蓋に対して滑らすことで、クリップの着脱を行なうことができる。
したがって、このクリップの着脱に際して、外蓋を傷つけてしまうことを抑制する効果が期待できる。
【００１２】
しかしながら、このような技術においても、なお、次のような改善すべき問題点が残されている。
【００１３】
すなわち、前記クリップが、外蓋に摩擦によって係合していることから、前記クリップに外力が作用した場合、このクリップが、一方の外蓋から他方の外蓋へ向かって滑ることが想定される。
このような滑りが生じると、前記クリップが外蓋の一つから離脱して、両外蓋の連結が解かれてしまうことがある。
【００１４】
このような不具合の発生を防止するために、この技術では、前記箱の側壁で、前記クリップの装着位置に対応する部位に、前記クリップが嵌合させられてその移動を拘束する切り欠きを設けている。
【００１５】
しかしながら、このような切り欠きを箱の側壁に設けると、この切り欠きを介して箱内部が外部へ露出してしまい、梱包性が失われてしまうという新たな問題点が生じる。
【００１６】
本考案は、前述した従来の技術において残されている問題点に鑑みてなされたもので、箱蓋を、摩擦を利用して閉位置に保持するとともに、外力が作用した場合でもその保持状態を維持することのできる箱蓋係止具を提供することを解決すべき課題とする。
【課題を解決するための手段】
【００１７】
本考案の箱蓋係止具は、前述した課題を解決するために、箱の開口部の一対の平行な辺のそれぞれに折曲可能に設けられ、相互に突き合わされることにより前記開口部を閉塞する一対の箱蓋を、その突き合わせ部の一端において挟み込んで閉位置に保持する箱蓋係止具であって、突き合わされた前記両箱蓋の内側へ挿入されて、これらの両箱蓋に、これらの両箱蓋を跨いで対峙させられる平板状の下部支持体と、前記両箱蓋の外側に重畳させられて、これらの両箱蓋に、これらの両箱蓋を跨いで対峙させられる平板状の上部支持体と、これらの下部支持体と上部支持体とを、その挿入方向後端部において連結する連結体とによって構成され、かつ、前記下部支持体および前記上部支持体が、その挿入方向と直交する方向において、前記各箱蓋の半分以上の範囲で対峙させられる大きさとなされていることを特徴としている。
【００１８】
このように構成された箱蓋係止具は、相互に付き合わされて閉位置にある一対の箱蓋に、その突き合わせ部の一端部において、これらの箱蓋が前記下部支持体と前記上部支持体との間に挿入されるようにして装着される。
【００１９】
その差し込み位置は、前記箱蓋が前記連結体に当接することによって規制される。
【００２０】
装着された前記箱蓋係止具は、前記下部支持体が前記両箱蓋の内面に、これらを跨いで対峙され、また、前記上部支持体が前記両箱蓋の外面に、これらを跨いで対峙される。
【００２１】
ここで、前記下部支持体および前記上部支持体が、前記両箱蓋に、面状態、線状態、あるいは、これらが混在した状態で接触させられる。
これによって、前記両箱蓋と前記上部支持体および前記下部支持体との間に摩擦が生じ、この摩擦によって、前記両箱蓋が係止されてその開きが防止される。
【００２２】
前記摩擦の大きさは、前記下部支持体と前記上部支持体との間隔と、前記箱蓋の厚み等との関係で決まり、また、この摩擦は、面状または線状に、あるいは、面状と線状が混在した状態で発生する。
【００２３】
そして、装着された状態にある前記箱蓋係止具に何等かの原因で、蓋の突き合わせ方向（前記箱蓋係止具の挿入方向と交差する方向）の外力が加わることがある。
【００２４】
このような外力により前記箱蓋係止具が、前記一方の箱蓋から前記他方の箱蓋へ向かうように移動せんとする。
【００２５】
このように、前記箱蓋係止具が移動した場合、この箱蓋係止具は、前記下部支持体が、前記箱蓋の折曲部近傍に移動した時点で停止させられる。
【００２６】
ここで、前述したように前記下部支持体および前記上部支持体が、その挿入方向と直交する方向において、前記各箱蓋の半分以上の範囲で対峙させられていることから、その移動が停止させられた状態において、前記下部支持体および前記上部支持体が、前記両箱蓋を跨ぐ位置に位置される。
すなわち、前記箱蓋係止具の移動方向後方に位置する前記箱蓋との離脱が防止される。
【００２７】
したがって、前記下部支持体および前記上部支持体による前記箱蓋の係止状態が維持される。
【００２８】
前記下部支持体、前記上部支持体、および、前記連結体は、たとえば、厚紙を折曲することにより、あるいは、合成樹脂の成形等により一体に形成されるが、使用される素材は任意である。
また、前記連結体は、前記下部支持体および上部支持体の一辺の全長に亙って設けられている。
【００２９】
前記連結体の外面や前記上部支持体の上面が外部へ露出させられていることにより、これらの面を表示面とすることができる。
このような構成とすることにより、前記箱に収納した物品に関連した情報を箱の側面や上面に表示することができる。
【００３０】
また、前記連結体を、前記下部支持体と前記上部支持体との間に介装されるスペーサーと、このスペーサーに前記下部支持体および前記上部支持体を固定する固定部材とによって構成することもできる。
【００３１】
このような構成とすることにより、前記連結体、前記下部支持体、および、前記上部支持体を個別に製作することができ、これらの形状等を異ならせておき、これらを任意に組み合わせることにより、意匠の多様化を図ることができる。
【００３２】
そして、前記スペーサーを、高さを変えて複数設け、これら複数のスペーサーを択一的に用いて前記下部支持体および前記上部支持体を連結するようにしてもよい。
【００３３】
このような構成とすることにより、異なる厚みの箱に応じて、前記下部支持体と前記上部支持体との間隔を調整することができ、前記箱蓋に適切な摩擦を与える寸法とすることができる。
【考案の効果】
【００３４】
本考案の箱蓋係止具によれば、箱の一対の箱蓋を挟み込むことによって閉位置に保持し、この保持状態において前記箱蓋係止具に外力が作用し、その保持位置がずれた場合にあっても、前記両箱蓋の挟み込み状態を維持して、これらの開きを防止することができる。
【図面の簡単な説明】
【００３５】
【図１】本考案の第１の実施形態を示すもので、使用状態を示す斜視図である。
【図２】本考案の第１の実施形態を示す斜視図である。
【図３】本考案の第１の実施形態を示す側面図である。
【図４】本考案の第１の実施形態を示すもので、使用手順を示す斜視図である。
【図５】本考案の変形例を示す側面図である。
【図６】本考案の第２の実施形態を示す拡大縦断面図である。
【図７】本考案の第２の実施形態の変形例を示す斜視図である。
【図８】本考案の第３の実施形態を示す斜視図である。
【図９】本考案の第４の実施形態を示す斜視図である。
【図１０】本考案の第５の実施形態を示す斜視図である。
【図１１】本考案の第５の実施形態を示すもので、使用手順を示す斜視図である。
【考案を実施するための形態】
【００３６】
以下、本考案の第１の実施形態を図１ないし図４を参照して説明する。
これらの図において符号１は、本実施形態が適用された段ボール箱等の箱を示す。
【００３７】
この箱１は、直方体状に形成され、上部に開口部（図示略）が設けられ、この開口部の一対の短辺部には、前記開口部の一部を覆うように折曲可能な内側の箱蓋１ａがそれぞれ設けられ、また、一対の長辺部には、前記開口部を全体的に覆うように折曲可能な外側の箱蓋１ｂが設けられている。
【００３８】
前記一対の外側の箱蓋１ｂは前記箱１の内側に折り曲げられて相互に突き合わされることにより、前記箱１の開口部を全面にわたって閉塞するようになっている。
【００３９】
そして、前記外側の両箱蓋１ｂの突き合わせ部の一端部に、本実施形態に係わる箱蓋係止具２が装着されている。
【００４０】
前記箱蓋係止具２は、突き合わされた前記外側の両箱蓋１ｂの内側へ挿入されて、これらの両箱蓋１ｂに、これらの両箱蓋１ｂを跨いで対峙させられる平板状の下部支持体２ａと、前記両箱蓋１ｂの外側に重畳させられて、これらの両箱蓋１ｂに、これらの両箱蓋１ｂを跨いで対峙させられる平板状の上部支持体２ｂと、これらの下部支持体２ａと上部支持体２ｂとを、その挿入方向後端部において連結する連結体２ｃとによって構成されている。
【００４１】
前記下部支持体２ａおよび前記上部支持体２ｂは、その挿入方向と直交する方向において、前記外側の箱蓋１ｂに、その半分以上の範囲で対峙させられる形状となされている。
【００４２】
本実施形態においては、図１に示すように、前記下部支持体２ａと前記上部支持体２ｂの幅Ｘが、前記両箱蓋１ｂの折曲部間の距離、すなわち、前記箱１の短辺の長さ２Ｌよりも若干小さく形成されている。
【００４３】
また、本実施形態においては、前記下部支持体２ａが前記上部支持体２ｂの長さよりも短く設定されている。
【００４４】
前記連結体２ｃは、前記下部支持体２ａと前記上部支持体２ｂとの間隔を設定するもので、本実施形態においては、前記下部支持体２ａと前記上部支持体２ｂと一体に形成されている。
【００４５】
そして、本実施形態の箱蓋係止具１は、合成樹脂によって一体成形されており、前記下部支持体２ａ、上部支持体２ｂ、および、連結体２ｃのそれぞれの外面が平面となされている。
【００４６】
このように構成された本実施形態の箱蓋係止具２は、図４に示すように、半開き状態の外側の一対の箱蓋１ｂを、矢印で示すように押し下げてほぼ同一面となるように突き合わせる。
【００４７】
ついで、前記箱蓋係止具２を、前記箱蓋１ｂの突き合わせ部の一端部に対向させた後に、前記下部支持体２ａが前記箱蓋１ｂの下側に入り込むように、かつ、前記上部支持体２ｂが前記箱蓋１ｂの上面を覆うようにして、前記箱１に装着する。
【００４８】
これによって、前記箱蓋係止具２の前記下部支持体２ａと前記上部支持体２ｂとの間に前記両箱蓋１ｂが挟み込まれるようにして保持される。
【００４９】
このように前記箱蓋係止具２によって挟み込まれた前記両箱蓋１ｂは、その内外面において、前記下部支持体２ａと前記上部支持体２ｂとの摩擦により係止される。
【００５０】
この結果、前記両箱蓋１ｂに加えていた押圧力を解除しても、これが開方向に回動することがなく、前記箱１が閉状態に保持される。
【００５１】
一方、このような閉状態において、前記箱蓋係止具２に、前記箱１の短辺方向の外力が作用して、前記箱蓋係止具２が前記短辺方向に押されて移動した場合、その移動が、前記箱蓋２の前記下部支持体２ａが前記箱蓋１ｂの折曲部近傍に接触させられることにより停止させられる。
【００５２】
ここで、前記下部支持体２ａの幅が、前記箱１の短辺より若干短く形成されていることから、この下部支持体２ａの側部と前記折曲部との距離が短い。
これに伴って、前記箱蓋係止具２の移動可能よりも短く、もって、前記箱蓋係止具２のずれが小さく抑えられる。
【００５３】
したがって、前述した箱蓋係止具２にずれが生じた場合にあっても、前記箱蓋１ｂが前記箱蓋係止具２から離脱することはなく、前記箱蓋１ｂが閉状態に保持される。
【００５４】
このように前記箱蓋１ｂが閉状態に保持されると、前記箱１を整理棚等に収納する場合、余分な突起物がなく円滑な収納が可能となる。
【００５５】
一方、前記箱１の外部に露出させられている前記上部支持体２ｂや前記連結体２ｃの外面が平面となされていることから、これらの面に、前記箱１内に収納した物品に関連した情報を記載しておくことにより、前記箱１の管理を容易なものとすることができる。
【００５６】
なお、前記実施形態において示した各構成部材の諸形状や寸法等は一例であって、設計要求等に基づき種々変更可能である。
【００５７】
たとえば、前記箱蓋係止具２の前記下部支持体２ａの長さは、図５に符号ａ・ｂで示すように任意に設定することができる。
【００５８】
また、前記箱蓋係止具２を構成する前記連結体２ｃ、前記下部支持体２ａ、および、前記上部支持体２ｂを別体に形成し、前記連結体２ｃを前記下部支持体２ａと前記上部支持体２ｂとの間に介装されるスペーサー２ｄと、このスペーサー２ｄに前記下部支持体２ａおよび前記上部支持体２ｂを固定する固定部材２ｅとによって構成することもできる。
【００５９】
このような構成とすることにより、多様な形状の前記連結体２ｃ、前記下部支持体２ａ、および、前記上部支持体２ｂを用意しておき、これらを組み合わせることにより、前記箱蓋係止具２を、前記箱１の厚みや形状等にあわせた形状とすることができる。
【００６０】
そして、前記スペーサー２ｄは、図７（ａ）に示すように、長尺形状としたり、図７（ｂ）に示すように、円柱状にしたりすることもできる。
さらに、これらの高さを変えることもできる。
【００６１】
また、図８の第３の実施形態に示すように、図１に示す第１の実施形態に示す箱蓋係止具２を２個用い、これらの箱蓋係止具２を前記箱１の両短辺側から装着して用いることもできる。
【００６２】
このような構成とすることにより、前記箱蓋１ｂを両側において係止することができ、前記箱蓋１ｂの開きをより確実に抑制することができる。
【００６３】
そして、前記一対の箱蓋係止具２の上部支持体２ｂの突き合わせ部を、粘着テープ等の係止体Ｔによって連結すると、前記箱蓋１ｂの開き防止効果をさらに高めることができる。
【００６４】
また、図９の第４の実施形態に示すように、箱蓋係止具２の上部支持体２ｂを長めに設定して、この上部支持体２ｂによって、前記箱１の上面をほぼ全面にわたって覆うようにしてもよい。
【００６５】
さらに、前記箱蓋係止具２を、図１０の第５の実施形態に示すように、長尺な平板とし、この平板に平行な一対の折り線を設けて、下部支持体２ａ、上部支持体２ｂ、および、連結体２ｃを形成することもできる。
【００６６】
このように構成した箱蓋係止具２は、図１１に示すように、平板状のまま前記下部支持体２ａを、前記箱蓋１ａと閉じられた状態の前記箱蓋１ｂとの間に挿入した後に、矢印で示すように、ぞれぞれの折り線に沿って折り曲げることにより、前記連結体２ｃを上方へ立ち上げ、さらに、前記上部支持体２ｂを前記箱蓋１ｂの上面に重畳させて、前記箱蓋１ｂを閉位置に係止することができる。
【符号の説明】
【００６７】
１  箱
１ａ  （内側の）箱蓋
１ｂ  （外側の）箱蓋
２  箱蓋係止具
２ａ  下部支持体
２ｂ  上部支持体
２ｃ  連結体
２ｄ  スペーサー
２ｅ  固定部材
Ｔ  係止体
【図１】
0003204211.tif 000003
【図２】
0003204211.tif 000004
【図３】
0003204211.tif 000005
【図４】
0003204211.tif 000006
【図５】
0003204211.tif 000007
【図６】
0003204211.tif 000008
【図７】
0003204211.tif 000009
【図８】
0003204211.tif 000010
【図９】
0003204211.tif 000011
【図１０】
0003204211.tif 000012
【図１１】
0003204211.tif 000013